(57)【要約】【課題】  本体装置と電源連動する電子機器装置において、電子機器がルータ機能を有している場合、外部ネットワークとの通信を行う場合のみ電源連動を行わないようにする。【解決手段】  Ｓ９０２にて、主装置１０７から電源連動無効（Ｄｉｓａｂｌｅ＿ＰＬＭ）を受信すると、従装置１０６は電源連動機能をＯＦＦにする。Ｓ９１０にて、主装置のソフトウェア応答が復活すると自動的に電源連動有効とする。【選択図】  図９
2011054034.tif 000002
【特許請求の範囲】
【請求項１】
本体装置と外部装置が第一の情報路とデバイス電源状態を通知する第二の情報路で接続されている電子機器システムにおいて、
外部装置は、第一の情報路を通じて本体装置の起動状態を監視する手段と、
外部装置は、第二の情報路を通じて本体装置の電源状態を検知する手段と、
外部装置は、第一の情報路を通じて第一の情報路を通じて本体装置が非起動状態であり、かつ、第二の情報路を通じて本体装置が電源ＯＦＦであることを検知すると外部装置の電源をＯＦＦする電源ＯＦＦ手段と、
本体装置は、第一の情報路を通じて、前記電源ＯＦＦ手段の実行を禁止することを通知する通知手段と、
外部装置は、前記通知手段により通知された電源ＯＦＦ手段の実行の禁止を、第一の情報路を通じて本体装置が起動状態であることを検知したときに解除する解除手段と、
を有することを特徴とする電子機器システム。
【請求項２】
本体装置と外部装置が第一の情報路とデバイス電源状態を通知する第二の情報路で接続されている電子機器システムにおいて、
前記通知手段により電源ＯＦＦ手段の実行を禁止された場合、ルーティング機能のみ有効とすることを特徴とする請求項１の電子機器システム。
【請求項３】
本体装置と外部装置が第一の情報路とデバイス電源状態を通知する第二の情報路で接続されている電子機器システムにおいて、
外部装置は、第一の情報路を通じて本体装置の起動状態を監視する手段と、
外部装置は、第二の情報路を通じて本体装置の電源状態を検知する手段と、
外部装置は、第一の情報路を通じて第一の情報路を通じて本体装置が非起動状態であり、かつ、第二の情報路を通じて本体装置が電源ＯＦＦであることを検知すると外部装置の電源をＯＦＦする電源ＯＦＦ手段と、
本体装置は、本体装置を再起動する際に、第二の情報路を通じて本体装置の電源状態をＯＮのままにしておく通知手段と、
を有することを特徴とする電子機器システム。
【発明の詳細な説明】
【技術分野】
【０００１】
本発明は、本体装置と電源連動する通信機能を持つ電子機器装置に関するものである。
【背景技術】
【０００２】
従来、さまざまな電子機器がインターネットやＬＡＮと言ったネットワークに接続される形態で利用されている。例を挙げると、パーソナルコンピュータから画像形成装置への電子文書の印刷などがある。
【０００３】
また、近年では、環境保全の観点から電子機器の省電力化が着目されており、その目的を達成するために、さまざまな機能が電子装置に付与されている。たとえば、その省電力機能の一つとして電子装置の電源連動機能がある。具体的な例を挙げると、電源連動機能は、複数の装置で構成されている電子機器システムにおいて、中心となる装置の電源がＯＦＦされるとその他の装置の電源も連動してＯＦＦすることで省電力を達成する。
【０００４】
このような通信機能を持つ電子機器装置における電源連動機能を考慮したものとして特許文献１が提案されている。この特許文献１の方法によれば、本体装置の電源ＯＦＦを検知すると、従装置の電源を自動的にＯＦＦすることができる。
【先行技術文献】
【特許文献】
【０００５】
【特許文献１】特開２００１−２３６１４９号公報
【発明の概要】
【発明が解決しようとする課題】
【０００６】
しかしながら、上述した従来の技術では、本体装置の電源状態だけで外部装置も電源ＯＦＦ／ＯＮしている。そのため、本体装置が電源ＯＦＦ／ＯＮを必要とする機能を実行する場合、本体装置が外部装置を介して外部ネットワークと通信を開始するには、外部装置の起動待ち時間が必要であると言う課題があった。また、本体装置が外部ネットワークと通信を確立したあとに、外部装置が再起動してしまう場合もあり、一度確立した通信が切断されてしまうと言う課題もあった。
【課題を解決するための手段】
【０００７】
上述した課題を解決するため、本発明に関わる本体装置と外部装置が第一の情報路とデバイス電源状態を通知する第二の情報路で接続されている電子機器システムは、外部装置は、第一の情報路を通じて本体装置の起動状態を監視する手段と、外部装置は、第二の情報路を通じて本体装置の電源状態を検知する手段と、外部装置は、第一の情報路を通じて第一の情報路を通じて本体装置が非起動状態であり、かつ、第二の情報路を通じて本体装置が電源ＯＦＦであることを検知すると外部装置の電源をＯＦＦする電源ＯＦＦ手段と、本体装置は、第一の情報路を通じて、前記電源ＯＦＦ手段の実行を禁止することを通知する通知手段と、外部装置は、前記通知手段により通知された電源ＯＦＦ手段の実行の禁止を、第一の情報路を通じて本体装置が起動状態であることを検知したときに解除する解除手段と、を有することを特徴とする。
【０００８】
さらに、前記通知手段により電源ＯＦＦ手段の実行を禁止された場合、ルーティング機能のみ有効とすることを特徴とする。
【０００９】
また、本体装置と外部装置が第一の情報路とデバイス電源状態を通知する第二の情報路で接続されている電子機器システムは、外部装置は、第一の情報路を通じて本体装置の起動状態を監視する手段と、外部装置は、第二の情報路を通じて本体装置の電源状態を検知する手段と、外部装置は、第一の情報路を通じて第一の情報路を通じて本体装置が非起動状態であり、かつ、第二の情報路を通じて本体装置が電源ＯＦＦであることを検知すると外部装置の電源をＯＦＦする電源ＯＦＦ手段と、本体装置は、本体装置を再起動する際に、第二の情報路を通じて本体装置の電源状態をＯＮのままにしておく通知手段と、
を有することを特徴とする。
【発明の効果】
【００１０】
本発明によれば、本体装置が電源ＯＦＦ／ＯＮを必要とする機能を実行する場合、外部装置は電源連動しないため、外部ネットワークとの通信確立のために、外部装置の起動待ちを行わなくて済む効果がある。また、本体装置が外部ネットワークと通信を確立したあとに、外部装置が再起動することで通信が切断されずに済む効果がある。
【００１１】
また、電源連動禁止の解除は外部装置が確実に解除できる。さらに、本体装置の起動を確認したタイミングで、電源連動禁止の解除が行われるため、電子機器システム全体として、確実に電源連動を再開できる。
【図面の簡単な説明】
【００１２】
【図１】本発明の実施形態におけるシステム構成図
【図２】画像形成装置のブロック構成図
【図３】情報処理装置のブロック構成図
【図４】コントローラのブロック構成図
【図５】画像形成装置の操作パネル
【図６】ボックス機能の基本画面
【図７】バックアップ／リストア設定、および実行画面
【図８】リストア時の画像形成装置の処理シーケンス
【図９】第一の実施例における画像形成装置とコントローラの処理
【図１０】第二の実施例における画像形成装置とコントローラの処理
【発明を実施するための形態】
【００１３】
以下、図面を参照して、この発明の好適な実施形態を例示的に詳しく説明する。ただし、この実施形態に記載されている表示画面はあくまで例示であり、この発明の範囲をそれらにのみ限定する主旨のものではない。
【実施例１】
【００１４】
図１は、本発明の実施形態におけるシステム構成図である。本システムは、イントラネットなどの外部ネットワークに従装置（コントローラ）、ならびに情報処理装置（ファイルサーバ、ならびにクライアントＰＣ）が接続されている。また、主装置（画像形成装置）と従装置（コントローラ）の間は、ネットワークケーブルとＶＩＤＥＯデータを転送するＩ／Ｏケーブルで接続されている。
【００１５】
主装置（画像形成装置）は、従装置（コントローラ）が生成した画像データを受信し印刷物として出力するだけではなく、主装置（画像形成装置）のスキャナ部から読み込んだデータや、主装置のハードディスクに保存したデータを従装置（コントローラ）を通じて、外部ネットワークに送信することができる。
【００１６】
図１中、１０１は外部ネットワークであり、ここではイントラネットなどの社内ネットワークを表す。また、１０２は内部ネットワークであり、主装置（画像形成装置）１０７と従装置（コントローラ）１０６の間のネットワークを表す。また、１０３は、主装置（画像形成装置）１０７と従装置（コントローラ）１０６とを接続するＩ／Ｏケーブルであり、ＶＩＤＥＯデータや主装置（画像形成装置）の電源状態の送受信を行う。また、１０４は、情報処理装置（クライアントＰＣ）であり、ユーザが主装置（画像形成装置）１０７や従装置（コントローラ）１０６に対する操作を行うＰＣを表す。また、１０５は、情報処理装置（ファイルサーバ）であり、ＳＭＢやＣＩＦＳなどのプロトコルを解釈し、電子データの大容量保存先としての役割を担う。また、１０６は、従装置（コントローラ）であり、主装置（画像形成装置）１０７が印刷する画像データを生成したり、外部ネットワーク１０１と内部ネットワーク１０２の間の仲介を行う。また、１０７は、主装置（画像形成装置）であり、コピー機能やスキャン機能、ボックス機能、メール送受信機能、ファイル送受信機能等の複数の機能を具備している。
【００１７】
図１において、主装置（画像形成装置）１０７は、外部ネットワーク１０１に接続された情報処理装置（クライアントＰＣ）１０４、情報処理装置（ファイルサーバ）１０５とデータの送受信を行う場合は、従装置（コントローラ）１０６のルーティング機能を使ってデータの送受信を行う構成である。そのため、従装置（コントローラ）１０６の電源が落ちている場合は、主装置（画像形成装置）１０７は、情報処理装置（クライアントＰＣ）１０４、および情報処理装置（ファイルサーバ）１０５とデータの送受信を行うことができない。
【００１８】
また、図１において、従装置（コントローラ）１０６は、主装置（画像形成装置）１０７との電源連動機能を有しており、主装置（画像形成装置）１０７の電源がＯＦＦになると、従装置（コントローラ）１０６の電源も自動的にＯＦＦとなる。ここで、従装置（コントローラ）１０６が自動的に電源をＯＦＦにする条件は、内部ネットワーク１０２経由で主装置（画像形成装置）１０７のソフトウェア応答が無くなり、かつ、Ｉ／Ｏケーブル１０３経由でハードウェア電源状態がＯＦＦになった場合である。これは、通常、主装置（画像形成装置）１０７が電源ＯＦＦとなる場合は、ソフトウェアの終了処理、ハードウェアの終了処理の順番で行われる。そのため、ソフトウェア応答を監視することで、ハードウェアの電源状態のみを監視する場合と比べて、従装置（コントローラ）１０６の終了処理が早く実行できる利点があるためである。
【００１９】
図２は、主装置（画像形成装置）１０７の概略構成を示すブロック図である。
【００２０】
図２において、２０１はＣＰＵ（セントラルプロセッシングユニット）であり、ＲＯＭ（リードオンリメモリ）２０７に格納された制御プログラムに基づいてＣＰＵデバイスに接続された各デバイスを制御する。２０２は表示装置であり、その表示画面には、例えばウインドウ、アイコン、メッセージ、メニューその他のユーザインターフェース情報が表示される。２０３はＶＲＡＭ（ビデオランダムアクセスメモリ）であり、表示装置２０２に表示するための画像が描画される。このＶＲＡＭ２０３に生成された画像データは、所定の規定に従って表示装置２０２に転送され、これにより表示装置２０２に画像が表示される。２０４は入力デバイスであり、印刷枚数など指定する各種キーや、表示装置２０２に表示されたアイコン、メニューその他のオブジェクトを指示する画面ポインティングデバイスを示す。通常、ユーザインタフェース（以下ＵＩと省略する）と言う場合、表示装置２０２、入力装置２０４を示す。
【００２１】
２０５はスキャン部であり、コピー原稿の読み取りを行う。２０６は記録部であり、ＲＡＭ（ランダムアクセスメモリ）２０８やＨＤＤ（ハードディスクドライブ）２０９に保存した印刷データの印刷を行う。２０７はＲＯＭであり、各種の制御プログラムやデータを保持する。２０８はＲＡＭでありＣＰＵ２０１のワーク領域、エラー処理時のデータの退避領域、制御プログラムのロード領域等を有する。２０９は内部記録装置としてのＨＤＤであり、各種制御プログラムや印刷データを保存する。２１０は外部記録Ｉ／Ｆであり、ＵＳＢメモリなどの外部記録媒体への読み書きを行う装置である。２１１は外部装置Ｉ／Ｆであり、外部装置２１２との通信を行う装置である。本実施例では、外部装置２１２は従装置（コントローラ）１０６である。
【００２２】
２１３はネットワーク・インターフェース（Ｎｅｔ−Ｉ／Ｆ）であり、他の情報処理装置やプリンタ等とネットワーク２１４を介して通信を行うことができる。２１５はＣＰＵバスであり、アドレスバス、データバス及びコントロールバスを含む。ＣＰＵ２０１に対する制御プログラムの提供は、ＲＯＭ２０７から行う。
【００２３】
図３は、情報処理装置１０４、１０５の概略構成を示すブロック図である。
【００２４】
図３において、３０１はＣＰＵ（セントラルプロセッシングユニット）であり、ＲＯＭ（リードオンリメモリ）３０７、ＨＤＤ（ハードディスクドライブ）３０９及びＣＤＤ（コンパクトディスクドライブ）３０６に格納された制御プログラムに基づいてＣＰＵデバイスに接続された各デバイスを制御する。
【００２５】
３０２は表示装置であり、その表示画面には、例えばウインドウ、アイコン、メッセージ、メニューその他のユーザインターフェース情報が表示される。３０３はＶＲＡＭ（ビデオランダムアクセスメモリ）であり、表示装置３０２に表示するための画像が描画される。このＶＲＡＭ３０３に生成された画像データは、所定の規定に従って表示装置３０２に転送され、これにより表示装置３０２に画像が表示される。
【００２６】
３０４はキーボードであり、文字入力を行うための各種キーを有する。３０５はＰＤ（ポインティングデバイス）であり、例えば、表示部３０２の表示画面上に表示されたアイコン、メニューその他のオブジェクトを指示するために使用される。
【００２７】
３０６はＣＤＤであり、ＣＤ−ＲＯＭや、ＣＤ−Ｒなどの記録メディアとの間で各種制御プログラムやデータの読み書きを行う装置である。これはＤＶＤドライブであってもよい。
【００２８】
３０７はＲＯＭであり、各種の制御プログラムやデータを保持する。３０８はＲＡＭ（ランダムアクセスメモリ）でありＣＰＵ３０１のワーク領域、エラー処理時のデータの退避領域、制御プログラムのロード領域等を有する。
【００２９】
３０９は内部記録装置としてのＨＤＤであり、各種制御プログラムや各種データを保存する。３１０は外部記録Ｉ／Ｆであり、ＵＳＢメモリなどの外部記録媒体への読み書きを行う装置である。
【００３０】
３１１はネットワーク・インターフェース（Ｎｅｔ−Ｉ／Ｆ）であり、他の情報処理装置やプリンタ等とネットワーク３１２を介して通信を行うことができる。３１３はＣＰＵバスであり、アドレスバス、データバス及びコントロールバスを含む。ＣＰＵ３０１に対する制御プログラムの提供は、ＣＤＤ３０３、ＲＯＭ３０７、ＨＤＤ３０９から行うこともできるし、ネットワーク３１２を介して他の情報処理装置等から行うこともできる。
【００３１】
図４は、従装置（コントローラ）１０６の概略構成を示すブロック図である。
【００３２】
図４において、４０１はＣＰＵ（セントラルプロセッシングユニット）であり、ＲＯＭ（リードオンリメモリ）４０４、ＨＤＤ（ハードディスクドライブ）４０６に格納された制御プログラムに基づいてＣＰＵデバイスに接続された各デバイスを制御する。
【００３３】
４０２は表示装置であり、その表示画面には、例えばウインドウ、アイコン、メッセージ、メニューその他のユーザインターフェース情報が表示される。４０３はＶＲＡＭ（ビデオランダムアクセスメモリ）であり、表示装置４０２に表示するための画像が描画される。このＶＲＡＭ４０３に生成された画像データは、所定の規定に従って表示装置４０２に転送され、これにより表示装置４０２に画像が表示される。
【００３４】
４０４はキーボードであり、文字入力を行うための各種キーを有する。４０５はＰＤ（ポインティングデバイス）であり、例えば、表示部４０２の表示画面上に表示されたアイコン、メニューその他のオブジェクトを指示するために使用される。
【００３５】
４０６はＣＤＤであり、ＣＤ−ＲＯＭや、ＣＤ−Ｒなどの記録メディアとの間で各種制御プログラムやデータの読み書きを行う装置である。これはＤＶＤドライブであってもよい。
【００３６】
４０７はＲＯＭであり、各種の制御プログラムやデータを保持する。４０８はＲＡＭ（ランダムアクセスメモリ）でありＣＰＵ４０１のワーク領域、エラー処理時のデータの退避領域、制御プログラムのロード領域等を有する。
【００３７】
４０９は内部記録装置としてのＨＤＤであり、各種制御プログラムや各種データを保存する。４１０は外部装置Ｉ／Ｆであり、外部装置４１１との通信を行う装置である。本実施例では、外部装置４１１は主装置（画像形成装置）１０７である。
【００３８】
４１２、４１４はネットワーク・インターフェース（Ｎｅｔ−Ｉ／Ｆ）であり、他の情報処理装置やプリンタ等とネットワーク４１３、４１５を介して通信を行うことができる。４１６はＣＰＵバスであり、アドレスバス、データバス及びコントロールバスを含む。ＣＰＵ４０１に対する制御プログラムの提供は、ＲＯＭ４０７から行う。
【００３９】
図５は、画像形成装置１０７の操作パネル（表示装置２０２および入力デバイス２０４）の例を示した図である。操作パネルは、リセットキー５０６、ユーザ機能キー５０７、テンキー５０８、スタートキー５０９、ストップキー５１０、タッチパネル形式の液晶パネル５０５、コピー機能キー５０１、ボックス機能キー５０２、送信／ＦＡＸ機能キー５０３、拡張機能キー５０４を有する。リセットキー５０６は、テンキー５０８や液晶パネル５０５から入力した内容を取り消し初期画面に戻る際に使用する。ユーザ機能キー５０７は、画像形成装置１０７に保存しているユーザ毎の各種設定やアドレス帳を呼び出す際に使用する。テンキー５０８は、数値の入力を行う際に使用する。スタートキー５０９はコピーの開始、スキャンの開始を指示する時に使用され、ストップキー５１０によって操作の停止が指示される。
【００４０】
画像形成装置１０７において、コピー機能を利用する時には、コピー機能キー５０１が、ボックス機能を利用する時には、ボックス機能キー５０２が押下される。ボックス機能とは、画像形成装置のＨＤＤ２０９内に、ホストコンピュータから送信されてきた印刷データ（ＰＤＬデータ）を展開した画像データや、スキャンした画像データを文書ボックスごとに割り当てられた領域に保存しておく事ができる機能である。ボックスには、ジョブごとに画像データと画像データに付随する属性情報が保存され、保存された文書をジョブ文書と呼ぶ。また、ユーザはボックス機能を用いて任意のタイミングで、記憶領域に保存されたジョブ文書を印刷したり、削除したりといった各種の処理が可能である。送信／ＦＡＸ機能キー５０３は、原稿やジョブ文書などのデータを、ネットワークを介してホストコンピュータや他の装置に送信する際に使用される。拡張機能キー５０４は、画像形成装置の機能を拡張したい場合に機能が割り当てられるキーである。電源キー５１１は、ユーザが、画像形成装置の省電力状態を直接制御する場合に用いられる。ユーザが、省電力状態において電源キー４１１を押下すると、画像形成装置は電力状態をスタンバイ状態（コピーなど、各種ジョブが即座に実行できる電力状態）へと遷移する。一方、ユーザが、スタンバイ状態において電源キー５１１を押下すると、画像形成装置は省電力状態に遷移する。
【００４１】
また、操作パネル（表示装置２０２および入力デバイス２０４）は、ボックスデータのリストア時には、新たにボックスデータを保存できないようにするために、操作パネルの入力デバイス２０４の操作を無効とし、さらに、表示装置２０２をブラックアウトすることで、データのリストアの完了まで画像形成装置１０７を操作できないようにする。
【００４２】
図６は、操作パネル（表示装置２０２および入力デバイス２０４）のボックス機能キー５０２押下後に、液晶パネル５０５に表示されるボックス機能の基本画面を示したものである。この画面は、ユーザに利用するボックスを選択させるための画面であり、６０２には、ボックス番号６０１ａ〜ｄ、ボックスの名称、さらにボックス領域のハードディスク容量に対して、そのボックスが使用している割合を示すパーセンテージが表示されている。また、６０３は複数のボックスを表示する為に、画面を上下にスクロールするスクロールボタンである。６０４は戻るキーであり、初期画面に戻るときに押下される。
【００４３】
図７は、情報処理装置（クライアントＰＣ）１０４の表示装置３０２に表示される「バックアップ／リストア設定、および実行画面」である。７０１〜７０４は、バックアップ／リストア先の設定であり、ホストＩＰアドレス設定７０１、フォルダへのパス７０２、ユーザ名７０３、パスワード７０４を設定できる。また、７０５は設定ボタンであり、ホストＩＰアドレス設定７０１、フォルダへのパス７０２、ユーザ名７０３、パスワード７０４の設定をすべて、画像形成装置１０７へ送信し、本設定を保存させる。
【００４４】
７０６はバックアップボタンであり、本ボタンを押下することで画像形成装置１０７は、ボックスに入っているデータをホストＩＰアドレス設定７０１、フォルダへのパス７０２の設定にしたがってバックアップを行う。このとき、バックアップ先からユーザ名とパスワードの認証を求められた場合は、ユーザ名７０３、パスワード７０４を使って認証を行う。
【００４５】
７０７はリストアボタンであり、本ボタンを押下することで画像形成装置１０７は、ホストＩＰアドレス設定７０１、フォルダへのパス７０２の設定にしたがって、バックアップされていたデータをボックスにリストアする。このとき、バックアップ先からユーザ名とパスワードの認証を求められた場合は、ユーザ名７０３、パスワード７０４を使って認証を行う。
【００４６】
図８は、主装置（画像形成装置）１０７における、ボックスデータのリストア処理のフローチャートを示したものである。
【００４７】
主装置（画像形成装置）１０７は、Ｓ８０１にて、ボックスデータのリストア処理要求を受信すると、Ｓ８０２にて、リストア処理を開始するために、「リストア専用モード」で主装置（画像形成装置）１０７の再起動（終了と起動）を開始する。
【００４８】
続いて、主装置（画像形成装置）１０７は、再起動処理の一環で、Ｓ８０３にて、Ｉ／Ｏケーブル１０３経由でＰＲＤＹ＝ＯＦＦ（ハードウェア電源状態ＯＦＦ）を送信し、Ｓ８０４にて、Ｉ／Ｏケーブル１０３経由でＰＲＤＹ＝ＯＮ（ハードウェア電源状態ＯＦＦ）を送信する。
【００４９】
次に、主装置（画像形成装置）１０７は、Ｓ８０５にて、ホストＩＰアドレス設定７０１、フォルダへのパス７０２からリストア用データを取得する。このとき、ユーザ名とパスワードの認証を求められた場合は、ユーザ名７０３、パスワード７０４を使って認証を行う。
【００５０】
次に、主装置（画像形成装置）１０７は、Ｓ８０６にて、取得したデータをリストアする。そして、リストアが完了したら、Ｓ８０７にて、通常モードで主装置（画像形成装置）１０７を再起動する。
【００５１】
続いて、主装置（画像形成装置）１０７は、再起動処理の一環で、Ｓ８０８にて、Ｉ／Ｏケーブル１０３経由でＰＲＤＹ＝ＯＦＦ（ハードウェア電源状態ＯＦＦ）を送信し、Ｓ８０９にて、Ｉ／Ｏケーブル１０３経由でＰＲＤＹ＝ＯＮ（ハードウェア電源状態ＯＮ）を送信する。
【００５２】
最後に、Ｓ８１０にて、主装置（画像形成装置）１０７は、通常モードで起動を完了し、画像形成装置としてのすべての機能が利用できるようになる。
【００５３】
ここで、「リストア専用モード」とは、主装置（画像形成装置）１０７は、リストア以外の機能を停止するモードであり、「通常モード」とは、主装置（画像形成装置）１０７の全機能を提供するモードを表す。
【００５４】
通常、バックアップしたデータをリストアする場合、ハードディスクのデータ破壊を防ぐため、リストア中にデータを書き込まないようにする必要がある。そこで、主装置（画像形成装置）１０７は、リストア以外の機能を停止する「リストア専用モード」を起動している。
【００５５】
また、「リストア専用モード」は、リストア以外の機能を停止しているため、「リストア専用モード」で動作中は、主装置（画像形成装置）１０７は、従装置（コントローラ）１０６へソフトウェア応答を返すことができない状態となる。
【００５６】
本発明の第一の実施形態を説明する。
【００５７】
図９は、クライアントＰＣ１０４からデータのリストア要求を受信した主装置（画像形成装置）１０７が、ファイルサーバ１０５にバックアップしたボックスデータをリストアする場合のフローチャートである。
【００５８】
主装置（画像形成装置）１０７は、Ｓ９０１にて、情報処理装置（クライアントＰＣ）１０４からボックスデータのリストア処理要求を受信すると、Ｓ９０２にて、従装置（コントローラ）１０６に、内部ネットワーク１０２を通じて、電源連動を停止する旨のメッセージ（Ｄｉｓａｂｌｅ＿ＰＬＭ）を送信する。
【００５９】
従装置（コントローラ）１０６は、Ｄｉｓａｂｌｅ＿ＰＬＭを受信すると、Ｓ９０３にて、ＰＬＭ（Ｐｏｗｅｒ  Ｌｉｎｋａｇｅ  Ｍｏｄｅ）＝ＯＦＦをメモリに保存し、主装置（画像形成装置）１０７との電源連動機能を停止する。
【００６０】
次に、主装置（画像形成装置）１０７は、Ｓ９０４にて、リストア処理を開始するために、「リストア専用モード」で主装置（画像形成装置）１０７の再起動（終了と起動）を開始する。続いて、主装置（画像形成装置）１０７は、Ｓ９０５にて、Ｉ／Ｏケーブル１０３経由でＰＲＤＹ＝ＯＦＦ（ハードウェア電源状態ＯＦＦ）を送信し、Ｓ９０６にて、Ｉ／Ｏケーブル１０３経由でＰＲＤＹ＝ＯＮ（ハードウェア電源状態ＯＦＦ）を送信する。
【００６１】
ここで、電源連動機能が無効であるので、Ｓ９０５にて、従装置（１０６）は自動的に電源ＯＦＦにならない。
【００６２】
次に、主装置（画像形成装置）１０７は、Ｓ９０７にて、ファイルサーバ１０５からリストア用データを取得し、取得したデータをリストアする。そして、リストアが完了したら、通常モードで主装置（画像形成装置）１０７を再起動する。続いて、主装置（画像形成装置）１０７は、Ｓ９０８にて、Ｉ／Ｏケーブル１０３経由でＰＲＤＹ＝ＯＦＦ（ハードウェア電源状態ＯＦＦ）を送信し、Ｓ９０９にて、Ｉ／Ｏケーブル１０３経由でＰＲＤＹ＝ＯＮ（ハードウェア電源状態ＯＮ）を送信する。
【００６３】
最後に、Ｓ８１０にて、主装置（画像形成装置）１０７が通常モードで起動を完了すると、ソフトウェア応答が復活するので、従装置（コントローラ）１０６は、ＰＬＭ（Ｐｏｗｅｒ  Ｌｉｎｋａｇｅ  Ｍｏｄｅ）＝ＯＮをメモリに保存し、主装置（画像形成装置）１０７との電源連動機能を再開する。
【００６４】
本発明の第二の実施例を説明する。
【００６５】
システム構成図については、第一の実施例と同様であることから説明を省略する。第二の実施例は、従装置（コントローラ）１０６が、ルーティング機能のみ提供する形態で動作する例である。
【００６６】
図１０は、第二の実施例における画像形成装置とコントローラの処理を表したものである。
【００６７】
Ｓ１００３とＳ１０１１以外は、第一の実施例と同様であるため省略する。従装置（コントローラ）１０６はＤｉｓａｂｌｅ＿ＰＬＭを受信すると、Ｓ９０３にて、ルータ機能のみを提供する「ルータモード」動作する。このとき、ルータ機能だけの提供となるので、電源連動機能は停止する。
【００６８】
そして、Ｓ１０１１のタイミングで、「ルータモード」から通常モードに復帰する。
【００６９】
以上の処理を行うことで、従装置（コントローラ）１０６の処理に手を加えることなく、従装置（コントローラ）１０６のルータ機能を保つことができる。
【００７０】
本発明の第三の実施例を説明する。
【００７１】
システム構成図については、第一の実施例と同様であることから説明を省略する。第三の実施例は、主装置（画像形成装置）１０７が、従装置（コントローラ）１０６の電源自動ＯＦＦの条件を満たさない動作を行う例である。具体的には、主装置（画像形成装置）１０７におけるボックスデータのリストア処理のフローチャートにおいて、Ｓ８０３、Ｓ８０４、Ｓ８０８ならびにＳ８０９のＰＲＤＹ＝ＯＮ／ＯＦＦを送出しないようにする。
【００７２】
「リストア専用モード」以降「通常モード」に戻るまで、ＰＲＤＹ＝ＯＮ／ＯＦＦを送出しないことで、従装置（コントローラ）１０６は、電源連動の条件を満たさないので、自動的に電源ＯＦＦしない。
【００７３】
以上の処理を行うことで、従装置（コントローラ）１０６の処理に手を加えることなく、従装置（コントローラ）１０６のルータ機能を保つことができる。
【符号の説明】
【００７４】
１０１  外部ネットワーク
１０２  内部ネットワーク
１０３  接続ケーブル
１０４  情報処理装置
１０５  ファイルサーバ
１０６  従装置（コントローラ）
１０７  主装置（画像形成装置）
【図１】
2011054034.tif 000003
【図２】
2011054034.tif 000004
【図３】
2011054034.tif 000005
【図４】
2011054034.tif 000006
【図５】
2011054034.tif 000007
【図６】
2011054034.tif 000008
【図７】
2011054034.tif 000009
【図８】
2011054034.tif 000010
【図９】
2011054034.tif 000011
【図１０】
2011054034.tif 000012